(57)【要約】  【課題】  装着された電池から給電されて動作する装置であって、外部の装置で映像を表示させる場合と自身の装置で映像を表示する場合とにおいて、画質の劣化の防止又は消費電力の削減のいずれかを優先した処理を行なうことが可能な映像表示装置を提供する。  【解決手段】  記録再生装置１は、チューナ１３が受信する放送番組を記録信号処理部１５で圧縮した上で記録装置１６に記録しつつ、記録装置１６に記録された放送番組を再生信号処理部１７で伸張した上で外部のモニタ装置１９ａ又は自身のディスプレイ装置２１で表示する。記録信号処理部１５及び再生信号処理部１７は、記録装置１６から読み出した放送番組をモニタ装置１９ａで表示させる場合には第１圧縮率による圧縮処理及び伸張処理を行ない、ディスプレイ装置２１で表示させる場合には第１圧縮率よりも高い第２圧縮率で圧縮処理及び伸張処理を行なう。【選択図】      図１
2005318321.tif 000002
【特許請求の範囲】
【請求項１】
電池が装着される電池装着部と、外部の表示装置が接続される接続部と、外部から取得する映像を記録する記録部と、映像を表示する表示部とを備える映像表示装置において、
前記接続部への外部の表示装置の接続を検知する検知手段と、
前記電池装着部に装着された電池から給電される場合であって、前記検知手段が前記接続を検知したときに、外部から取得する映像を第１圧縮率で圧縮して前記記録部に記録させる第１圧縮手段と、
該第１圧縮手段によって圧縮されて前記記録部に順次記録された映像を読み出して復号する第１復号手段と、
該第１復号手段が復号した映像を前記接続部から送出する送出手段と、
前記電池装着部に装着された電池から給電される場合であって、前記検知手段が前記接続を検知しないときに、外部から取得する映像を前記第１圧縮率よりも高い第２圧縮率で圧縮して前記記録部に記録させる第２圧縮手段と、
該第２圧縮手段によって圧縮されて前記記録部に順次記録された映像を読み出して復号する第２復号手段と、
該第２復号手段が復号した映像を前記表示部に表示する表示制御手段と
を備えることを特徴とする映像表示装置。
【請求項２】
電池が装着される電池装着部と、外部から取得する映像を記録する記録部と、映像を表示する表示部とを備える映像表示装置において、
外部から取得する映像または前記記録部に記録された映像を前記表示部に表示させる表示指示及び表示時間を受け付ける受付手段と、
該受付手段が前記表示指示を受け付けた場合に、前記電池装着部に装着された電池の残容量を検出する検出手段と、
前記受付手段が前記表示指示を受け付けた場合に、前記表示部での前記表示時間に対する消費電力を算出する算出手段と、
該算出手段が算出した消費電力および前記検出手段が検出した残容量に基づいて、前記表示部での表示以外の処理を行なえるか否かを判断する判断手段と
を備えることを特徴とする映像表示装置。
【請求項３】
前記受付手段は、前記記録部による映像の記録処理の記録指示及び記録時間を受け付けるように構成してあり、
前記算出手段は、前記受付手段が前記記録指示を受け付けた場合に、前記記録処理に対する消費電力を算出するように構成してあり、
前記受付手段が記録指示を受け付けた場合に、前記検出手段が検出した残容量から前記算出手段が算出した前記表示部での前記表示時間に対する消費電力を減算する減算手段を備え、
前記判断手段は、前記減算手段が算出した残容量及び前記算出手段が算出する前記記録処理に対する消費電力に基づいて、前記記録処理が可能であるか否かを判断するように構成してあることを特徴とする請求項２に記載の映像表示装置。
【請求項４】
前記判断手段によって前記記録処理が可能でないと判断した場合に、その旨を報知する報知手段を備えることを特徴とする請求項３に記載の映像表示装置。
【請求項５】
前記判断手段によって前記記録処理が可能でないと判断した場合に、その時点以降の前記受付手段による記録指示の受け付けを停止する手段を備えることを特徴とする請求項３又は４に記載の映像表示装置。
【請求項６】
電池が装着される電池装着部と、外部から取得する映像を記録する記録部と、映像を表示する表示部とを備える映像表示装置において、
前記記録部による映像の予約記録処理の記録指示及び記録時間を受け付ける受付手段と、
該受付手段が前記記録指示を受け付けた場合に、前記電池装着部に装着された電池の残容量を検出する検出手段と、
前記受付手段が前記記録指示を受け付けた場合に、前記予約記録処理に対する消費電力を算出する算出手段と、
該算出手段が算出した消費電力および前記検出手段が検出した残容量に基づいて、前記表示部での映像の表示を行なえるか否かを判断する判断手段と
を備えることを特徴とする映像表示装置。
【請求項７】
前記受付手段は、外部から取得する映像または前記記録部に記録された映像を前記表示部に表示させる表示指示を受け付けるように構成してあり、
前記受付手段が表示指示を受け付けた場合に、表示指示された映像を前記表示部に表示する表示制御手段を備え、
前記検出手段は、前記表示部での映像の表示中に所定時間間隔で前記電池装着部に装着された電池の残容量を検出するように構成してあり、
前記判断手段は、前記検出手段によって所定時間間隔で検出される残容量が、前記算出手段によって算出された前記予約記録処理に対する消費電力よりも多いか否かに基づいて、前記表示部での映像の表示が可能であるか否かを判断するように構成してあることを特徴とする請求項６に記載の映像表示装置。
【請求項８】
前記表示制御手段は、前記判断手段によって前記表示部での表示が可能でないと判断した場合に、前記表示部での表示を停止するように構成してあることを特徴とする請求項７に記載の映像表示装置。
【請求項９】
前記表示制御手段が前記表示部での表示を停止した場合に、その旨を報知する報知手段を備えることを特徴とする請求項８に記載の映像表示装置。
【請求項１０】
前記判断手段によって前記表示部での表示が可能でないと判断した場合に、その時点以降の前記受付手段による表示指示の受け付けを停止する手段を備えることを特徴とする請求項７乃至９のいずれかひとつに記載の映像表示装置。
【発明の詳細な説明】
【技術分野】
【０００１】
本発明は、外部から取得する映像を記録し、記録した映像または外部から取得する映像を表示する映像表示装置に関する。また、特に、電源部を有し、持ち運びが可能な携帯型の映像表示装置に関する。
【背景技術】
【０００２】
テレビジョン装置に接続され、受信したテレビジョン放送による放送番組を記録媒体に記録し、必要に応じて接続されたテレビジョン装置で再生する記録再生装置として、記録媒体に磁気テープを用いるビデオカセットレコーダ（ＶＣＲ）が普及している。また、近年では、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクプレイヤが実用化されている。
【０００３】
ビデオディスクプレイヤは、記録媒体であるディスクに対する書込み処理とディスクからの読出し処理とを同時に行なうことが可能である。従って、ビデオディスクプレイヤは、受信した放送番組の記録処理及びディスクに記録された放送番組の再生処理に加えて、受信した放送番組をディスクに記録しつつ、順次ディスクに記録された放送番組を再生する同時記録再生処理（タイムシフト機能）が可能となる（例えば、特許文献１参照）。これにより、ビデオディスクプレイヤのユーザは、順次ディスクに記録されていく放送番組の再生処理を中断することができ、また中断した場合に中断した箇所から再生処理を再開することができる。
【０００４】
一方、近年では、上述したような各種の記録再生装置における小型化及び携帯型化の開発が盛んに行なわれている。従って、例えば携帯型のＤＶＤプレイヤを持ち運び可能に構成することによって、屋外または持ち運んだ先で、ＤＶＤに記録してある映像及び音声を視聴することが可能となる。
【特許文献１】特開平６−１４２７４号公報
【発明の開示】
【発明が解決しようとする課題】
【０００５】
ここで、携帯型のプレイヤにおいては、バッテリ（以下、電池という）の残容量の把握が重要である。例えば、ユーザがＤＶＤプレイヤでＤＶＤを視聴している場合、ＤＶＤプレイヤの電池の残容量がなくなってしまった時点で、ＤＶＤプレイヤは実行中の再生処理を終了する。同様に、携帯型の記録再生装置が、ユーザによって放送番組の記録処理を予約され、放送開始時刻の経過に従って予約された記録処理を開始した場合であっても、電池の残容量がなくなってしまった時点で実行中の記録処理を終了する。従って、電池の残容量を正確に把握できる装置が要望されている。
【０００６】
本発明は斯かる事情に鑑みてなされたものであり、外部の装置で映像を表示させる場合と自身の装置で映像を表示する場合とにおいて、異なる圧縮率での圧縮処理を行なうにより、画質の劣化の防止または消費電力量の削減のいずれかを優先した処理を行なうことが可能な映像表示装置を提供することを目的とする。
【０００７】
本発明の他の目的は、電池の残容量が不足する場合に、映像の表示処理または映像の記録処理のいずれかを優先的に実行することによって、表示処理及び記録処理の両方が、電力不足によって中断される事態を回避することが可能な映像表示装置を提供することにある。
【課題を解決するための手段】
【０００８】
本発明に係る映像表示装置は、電池が装着される電池装着部と、外部の表示装置が接続される接続部と、外部から取得する映像を記録する記録部と、映像を表示する表示部とを備える映像表示装置において、前記接続部への外部の表示装置の接続を検知する検知手段と、前記電池装着部に装着された電池から給電される場合であって、前記検知手段が前記接続を検知したときに、外部から取得する映像を第１圧縮率で圧縮して前記記録部に記録させる第１圧縮手段と、該第１圧縮手段によって圧縮されて前記記録部に順次記録された映像を読み出して復号する第１復号手段と、該第１復号手段が復号した映像を前記接続部から送出する送出手段と、前記電池装着部に装着された電池から給電される場合であって、前記検知手段が前記接続を検知しないときに、外部から取得する映像を前記第１圧縮率よりも高い第２圧縮率で圧縮して前記記録部に記録させる第２圧縮手段と、該第２圧縮手段によって圧縮されて前記記録部に順次記録された映像を読み出して復号する第２復号手段と、該第２復号手段が復号した映像を前記表示部に表示する表示制御手段とを備えることを特徴とする。
【０００９】
本発明による場合は、外部から取得する映像を記録部に記録すると共に、該記録部に記録した映像を表示部で表示する映像表示装置において、電池装着部に装着された電池から給電される場合であって、外部の表示装置が接続されているときに、外部からの映像を第１圧縮率で圧縮して記録部に一旦記録させた後に順次読み出し、復号した上で外部の表示装置へ送出する。一方、電池装着部に装着された電池から給電される場合であって、外部の表示装置が接続されていないときには、外部からの映像を第１圧縮率よりも高い第２圧縮率で圧縮して記録部に一旦記録させた後に順次読み出し、復号した上で表示部に表示させる。よって、外部の表示装置と接続されており、取得した映像を外部の表示装置で表示するか否かに応じて異なる圧縮率によって圧縮した上で記録部に記録させることが可能となる。
【００１０】
本発明に係る映像表示装置は、電池が装着される電池装着部と、外部から取得する映像を記録する記録部と、映像を表示する表示部とを備える映像表示装置において、外部から取得する映像または前記記録部に記録された映像を前記表示部に表示させる表示指示及び表示時間を受け付ける受付手段と、該受付手段が前記表示指示を受け付けた場合に、前記電池装着部に装着された電池の残容量を検出する検出手段と、前記受付手段が前記表示指示を受け付けた場合に、前記表示部での前記表示時間に対する消費電力を算出する算出手段と、該算出手段が算出した消費電力および前記検出手段が検出した残容量に基づいて、前記表示部での表示以外の処理を行なえるか否かを判断する判断手段とを備えることを特徴とする。
【００１１】
本発明による場合は、外部から取得する映像または記録部に記録されている映像を表示する映像表示装置において、映像を表示部に表示させる表示指示及び表示時間を受け付けた場合に、電池装着部に装着された電池の残容量を検出すると共に、受け付けた表示指示に基づいて、前記表示部での前記表示時間に対する消費電力を算出する。また、算出した消費電力および検出した残容量に基づいて、受け付けた表示指示に基づく前記表示部での表示処理以外の処理を行なえるか否かを判断する。よって、表示指示を受け付けた映像の表示部での表示処理に必要な電力を確実に確保することが可能であり、この電力を確保した上で残りの電力残量に応じた処理を実行することが可能となる。
【００１２】
本発明に係る映像表示装置は、前記受付手段は、前記記録部による映像の記録処理の記録指示及び記録時間を受け付けるように構成してあり、前記算出手段は、前記受付手段が前記記録指示を受け付けた場合に、前記記録処理に対する消費電力を算出するように構成してあり、前記受付手段が記録指示を受け付けた場合に、前記検出手段が検出した残容量から前記算出手段が算出した前記表示部での前記表示時間に対する消費電力を減算する減算手段を備え、前記判断手段は、前記減算手段が算出した残容量及び前記算出手段が算出する前記記録処理に対する消費電力に基づいて、前記記録処理が可能であるか否かを判断するように構成してあることを特徴とする。
【００１３】
本発明による場合は、記録部による映像の記録処理の記録指示及び記録時間を受け付けた場合に、電池装着部に装着された電池の残容量から前記表示部での前記表示時間に対する消費電力を減算すると共に、記録指示を受け付けた記録処理に対する消費電力を算出する。また、減算して得られた残容量及び算出した前記記録処理に対する消費電力に基づいて、前記記録部による記録処理が可能であるか否かを判断する。よって、映像の表示部での表示処理の表示指示を受け付けた場合に、表示指示を受け付けた映像の表示部での表示処理に必要な電力を確実に確保した上で、記録指示を受け付けた記録処理の実行が可能であるか否かを判断することが可能となる。
【００１４】
本発明に係る映像表示装置は、前記判断手段によって前記記録処理が可能でないと判断した場合に、その旨を報知する報知手段を備えることを特徴とする。
【００１５】
本発明による場合は、電池の残容量が不足しており、記録指示を受け付けた記録処理の実行ができない場合には、その旨を報知することによって、記録処理の実行を指示したユーザに通知することが可能となる。
【００１６】
本発明に係る映像表示装置は、前記判断手段によって前記記録処理が可能でないと判断した場合に、その時点以降の前記受付手段による記録指示の受け付けを停止する手段を備えることを特徴とする。
【００１７】
本発明による場合は、電池の残容量が不足しており、記録指示を受け付けた記録処理の実行ができない場合に、その時点以降におけるユーザからの記録処理の実行指示の受け付けを停止することによって、不要な電力の消費を削減することが可能となる。
【００１８】
本発明に係る映像表示装置は、電池が装着される電池装着部と、外部から取得する映像を記録する記録部と、映像を表示する表示部とを備える映像表示装置において、前記記録部による映像の予約記録処理の記録指示及び記録時間を受け付ける受付手段と、該受付手段が前記記録指示を受け付けた場合に、前記電池装着部に装着された電池の残容量を検出する検出手段と、前記受付手段が前記記録指示を受け付けた場合に、前記予約記録処理に対する消費電力を算出する算出手段と、該算出手段が算出した消費電力および前記検出手段が検出した残容量に基づいて、前記表示部での映像の表示を行なえるか否かを判断する判断手段とを備えることを特徴とする。
【００１９】
本発明による場合は、外部から取得する映像または記録部に記録されている映像を表示する映像表示装置において、記録部による映像の予約記録処理の記録指示及び記録時間を受け付けた場合に、電池装着部に装着された電池の残容量を検出すると共に、受け付けた記録指示に基づいて、前記記録部による予約記録処理に対する消費電力を算出し、算出した消費電力および検出した電池の残容量に基づいて、前記表示部での表示処理を行なえるか否かを判断する。よって、記録指示を受け付けた予約記録処理に必要な電力を確実に確保することが可能であり、この電力を確保した上で残りの電力に応じて、表示部による映像の表示処理を実行することが可能となる。
【００２０】
本発明に係る映像表示装置は、前記受付手段は、外部から取得する映像または前記記録部に記録された映像を前記表示部に表示させる表示指示を受け付けるように構成してあり、前記受付手段が表示指示を受け付けた場合に、表示指示された映像を前記表示部に表示する表示制御手段を備え、前記検出手段は、前記表示部での映像の表示中に所定時間間隔で前記電池装着部に装着された電池の残容量を検出するように構成してあり、前記判断手段は、前記検出手段によって所定時間間隔で検出される残容量が、前記算出手段によって算出された前記予約記録処理に対する消費電力よりも多いか否かに基づいて、前記表示部での映像の表示が可能であるか否かを判断するように構成してあることを特徴とする。
【００２１】
本発明による場合は、外部から取得する映像または記録部に記録された映像を表示部に表示させる表示指示を受け付けた場合に、表示指示された映像を前記表示部に表示させる。また、表示部での前記映像の表示中に所定時間間隔で前記電池装着部に装着された電池の残容量を検出しており、所定時間間隔で検出される電池の残容量が、前記予約記録処理に対する消費電力よりも多いか否かに基づいて、前記表示部での映像の表示が可能であるか否かを判断する。よって、予約記録処理の記録指示を受け付けた場合に、記録指示を受け付けた予約記録処理に必要な電力を確実に確保した上で、表示指示を受け付けた表示部での映像の表示が可能であるか否かを判断することが可能となる。
【００２２】
本発明に係る映像表示装置は、前記表示制御手段は、前記判断手段によって前記表示部での表示が可能でないと判断した場合に、前記表示部での表示を停止するように構成してあることを特徴とする。
【００２３】
本発明による場合は、電池の残容量が不足しており、表示指示を受け付けた表示部での映像の表示処理の実行ができない場合には、前記表示部での表示を停止することにより、電力の消費を防止することが可能となる。
【００２４】
本発明に係る映像表示装置は、前記表示制御手段が前記表示部での表示を停止した場合に、その旨を報知する報知手段を備えることを特徴とする。
【００２５】
本発明による場合は、電池の残容量が不足しており、表示指示を受け付けた表示部での映像の表示処理の実行ができず、表示部での表示を停止した場合にその旨を報知することによって、表示部での映像の表示が停止した理由をユーザに通知することが可能となる。
【００２６】
本発明に係る映像表示装置は、前記判断手段によって前記表示部での表示が可能でないと判断した場合に、その時点以降の前記受付手段による表示指示の受け付けを停止する手段を備えることを特徴とする。
【００２７】
本発明による場合は、電池の残容量が不足しており、表示指示を受け付けた表示部での映像の表示処理の実行ができない場合に、その時点以降におけるユーザからの表示処理の表示指示の受け付けを停止することによって、不要な電力の消費を削減することが可能となる。
【発明の効果】
【００２８】
本発明では、外部から取得する映像を記録部に記録すると共に、該記録部に記録した映像を表示部で表示する映像表示装置において、電池装着部に装着された電池から給電される場合に、外部から取得した映像を、接続されている外部の表示装置で表示するか又は自身の装置の表示部で表示するかに応じて、外部からの映像を異なる圧縮率によって圧縮して記録部に記録させる。具体的には、外部の表示装置で表示する場合には、第２圧縮率よりも低い第１圧縮率での圧縮処理を行なうことにより、画質の劣化を防止した映像を外部の表示装置で表示させることができる。また、自身の装置の表示部で表示する場合には、第１圧縮率よりも高い第２圧縮率での圧縮処理を行なうことにより、外部から取得した映像に行なう圧縮処理及び表示部での表示処理等における消費電力を削減することができる。従って、映像を外部の表示装置で表示させる場合と、自身の装置の表示部で表示させる場合とにおいて、画質の劣化の防止または消費電力の削減のいずれかを優先した処理を行なうことができる。
【００２９】
本発明では、外部から取得する映像または記録部に記録されている映像を表示する映像表示装置において、映像を表示部に表示させる表示指示及び表示時間を受け付けた場合に、受け付けた表示指示に基づく前記表示部での前記表示時間に対する消費電力及び電池装着部に装着された電池の残容量に基づいて、受け付けた表示指示に基づく前記表示部での表示以外の処理を行なえるか否かを判断する。よって、表示指示を受け付けた映像の表示部での表示処理に必要な電力を確実に確保することができる。また、この表示処理に必要な電力を確保した上で残りの電力残量に応じた処理を実行することによって、前記表示処理を最優先で実行することができると共に、ユーザから実行指示された他の処理も実行することができる。
【００３０】
本発明では、記録部による映像の記録処理の記録指示及び記録時間を受け付けた場合に、電池装着部に装着された電池の残容量から前記表示部での前記表示時間に対する消費電力を減算すると共に、記録指示を受け付けた記録処理に対する消費電力を算出する。また、減算して得られた電池の残容量及び算出した前記記録処理に対する消費電力に基づいて、前記記録処理が可能であるか否かを判断することにより、映像の表示部での表示処理の表示指示を受け付けた場合に、表示指示を受け付けた映像の表示部での表示処理に必要な電力を確実に確保した上で、更に記録指示を受け付けた記録処理の実行が可能であるか否かを判断することができ、また、可能であれば実行することができる。
【００３１】
本発明では、電池の残容量が不足しており、記録指示を受け付けた記録処理の実行ができない場合には、その旨を報知することによって、記録処理の実行を指示したユーザに通知することができ、ユーザは電池の残容量不足を把握することができる。また、電池の残容量が不足しており、記録指示を受け付けた記録処理の実行ができない場合に、その時点以降のユーザからの記録処理の実行の受け付けを停止することによって、不要な電力の消費を削減することができる。
【００３２】
本発明では、外部から取得する映像または記録部に記録されている映像を表示する映像表示装置において、記録部による映像の予約記録処理の記録指示及び記録時間を受け付けた場合に、受け付けた記録指示に基づく前記記録部による予約記録処理に対する消費電力および電池装着部に装着された電池の残容量に基づいて、前記予約記録処理以外の例えば前記表示部での表示処理を行なえるか否かを判断する。よって、記録指示を受け付けた予約記録処理に必要な電力を確実に確保することができると共に、この電力を確保した上で残りの電力量に応じて、表示部による映像の表示処理を実行することができる。
【００３３】
本発明では、外部から取得する映像または記録部に記録された映像を表示部に表示させる表示指示を受け付けた場合に、表示指示された映像を前記表示部に表示させる。また、表示部での前記映像の表示中に所定時間間隔で前記電池装着部に装着された電池の残容量を検出しており、所定時間間隔で検出される電池の残容量が、前記予約記録処理に対する消費電力よりも多いか否かに基づいて、前記表示部での映像の表示ができるか否かを判断する。よって、予約記録処理の記録指示を受け付けた場合に、記録指示を受け付けた予約記録処理に必要な電力を確実に確保した上で、更に表示指示を受け付けた表示部での映像の表示が可能であるか否かを判断することができ、可能である場合には実行することができる。
【００３４】
本発明では、電池の残容量が不足しており、表示指示を受け付けた表示部での映像の表示処理の実行ができない場合に、前記表示部での表示を停止することにより、電力の更なる消費を防止することができる。また、この場合にその旨を報知することによって、表示部での表示を停止されたユーザに通知することができ、ユーザは電池の電力不足を把握することができる。更に、ユーザからの表示処理の表示指示の受け付けを停止することによって、不要な電力の消費を削減することができる。
【発明を実施するための最良の形態】
【００３５】
以下に、本発明に係る映像表示装置を、その実施の形態である記録再生装置を示す図面に基づいて詳述する。
（実施の形態１）
図１は実施の形態１に係る記録再生装置の構成例を示すブロック図である。図中１は本発明の映像表示装置としての記録再生装置を示しており、記録再生装置１は、例えば液晶表示テレビジョン装置等のモニタ装置１９ａと映像信号用の映像ケーブル及び音声信号用の音声ケーブルを介して接続可能に構成されている。また、記録再生装置１は、図示しないリモートコントロール装置によって遠隔から操作することが可能である。
【００３６】
本実施の形態における記録再生装置１は、制御部１０、ＲＯＭ１１、ＲＡＭ１２、チューナ１３、Ａ／Ｄ（アナログ／デジタル）変換器１４、記録信号処理部１５、記録装置１６、再生信号処理部１７、出力処理部１８、映像ケーブル及び音声ケーブルを介してモニタ装置１９ａと接続するための出力端子１９、スケーリング部２０、ディスプレイ装置２１、リモートコントロール装置（以下、リモコン装置という）からの制御信号を受信するリモコン受信部２２等を備えており、それぞれはバス１ａを介して相互に接続されている。
【００３７】
制御部１０は、図示しないタイマを有するＣＰＵ（Central Processing Unit ）又はＭＰＵ（Micro Processor Unit）等により構成されており、バス１ａを介して接続される上述したようなハードウェア各部を制御すると共に、ＲＯＭ１１に予め格納されている制御プログラムを適宜ＲＡＭ１２に読み出して実行する。ＲＯＭ１１は、記録再生装置１を本発明に係る映像表示装置として動作させるために必要な種々の制御プログラムを予め記憶している。ＲＡＭ１２は、ＳＲＡＭ又はフラッシュメモリ等で構成され、制御部１０による制御プログラムの実行時に発生するデータを一時的に記憶する。
【００３８】
チューナ１３は、例えばＵＨＦテレビジョン放送信号及びＶＨＦテレビジョン放送信号、ＢＳ放送信号又はＣＳ放送信号等の受信用チューナであり、ユーザにより選択された放送チャンネルに応じたアナログの放送信号を受信し、Ａ／Ｄ変換器１４へ入力する。Ａ／Ｄ変換器１４は、チューナ１３から取得したアナログの放送信号をデジタルの放送信号に変換し、記録信号処理部１５、出力処理部１８又はスケーリング部２０へ入力する。記録信号処理部１５は、制御部１０からの制御に従って、例えばＭＰＥＧ（Moving Picture Expert Group）方式に基づく圧縮処理を行なうコーデックを内蔵しており、Ａ／Ｄ変換器１４から入力された放送信号に圧縮処理を実行し、生成された圧縮信号を記録装置１６へ入力する。
【００３９】
記録装置１６は、磁気テープ又は磁気ディスク等の磁気媒体（記録部）１６ｂと、例えば書込み可能なＤＶＤである光ディスク（記録部）１６ｃと、記録信号処理部１５から入力された圧縮信号の磁気媒体１６ｂまたは光ディスク１６ｃへの入力を切り替える切替部１６ａとを有する。よって、切替部１６ａは、制御部１０からの制御に従って、記録信号処理部１５からの圧縮信号を磁気媒体１６ｂまたは光ディスク１６ｃへ入力して記録させる。
【００４０】
再生信号処理部１７は、制御部１０からの制御に従って記録装置１６から読み出された圧縮信号に、例えばＭＰＥＧ方式に基づく伸張処理を行なうコーデックを内蔵しており、伸張処理を行なって得られた放送信号を出力処理部１８又はスケーリング部２０へ入力する。出力処理部１８は、再生信号処理部１７から取得する放送信号を外部のモニタ装置１９ａへ出力するための所定の処理を実行し、モニタ装置１９ａと接続可能な出力端子（接続部）１９から映像ケーブル及び音声ケーブルを介して外部のモニタ装置１９ａへ出力する。従って、出力処理部１８は、出力端子１９を介して外部のモニタ装置１９ａへ放送信号を送出する送出手段として動作する。
【００４１】
スケーリング部２０は、再生信号処理部１７から取得する放送信号に含まれる映像信号に、ディスプレイ装置２１で表示させるための所定の処理を実行し、ディスプレイ装置（表示部）２１の液晶ドライバ２１ｂへ出力する。ディスプレイ装置２１は、液晶ディスプレイ２１ａと液晶ドライバ２１ｂとを有する。液晶ドライバ２１ｂは、スケーリング部２０によって所定の処理が施された映像信号を制御部１０からの制御に従ったタイミングで液晶ディスプレイ２１ａへ入力する。液晶ディスプレイ２１ａは、複数の液晶素子を２次元マトリクス状に配列してなる液晶表示パネルにより構成されており、液晶ドライバ２１ｂから入力される映像信号を表示する。なお、伸張処理を行なった放送信号に含まれる音声信号は図示しない音声出力部へ入力される。
【００４２】
リモコン受信部２２は、例えばリモコン装置からの赤外線を受光して所定の電気信号に変換し、得られた電気信号を解析してリモコン装置から入力された制御信号を検出し、検出した制御信号を制御部１０へ通知する。これにより、制御部１０は、リモコン受信部２２が取得した制御信号に応じた制御プログラムをＲＯＭ１１からＲＡＭ１２に読み出して順次実行する。なお、記録再生装置１とリモコン装置とは、赤外線を利用したＩｒＤＡ（Infrared Data Association）規格に従う無線通信だけでなく、例えば、ＩＥＥＥ８０２．１１ｂ規格に準拠した無線ＬＡＮ、及びBluetooth規格に従う無線通信等の無線通信が可能であってもよい。
【００４３】
また、制御部１０には、ユーザが記録再生装置１を直接的に操作する各種のキーを有する操作部（図示せず）も接続されており、操作部は、ユーザにより各キーが操作された場合、操作されたキーに対応した制御信号を制御部１０へ通知する。制御部１０は、リモコン受信部２２が取得した制御信号と同様に、操作部から送出された制御信号に応じた制御プログラムをＲＯＭ１１からＲＡＭ１２に読み出して順次実行する。
【００４４】
記録再生装置１には電池装着部２３が設けられており、電池装着部２３に装着された電池２３ａからの電圧が、記録再生装置１を構成するハードウェア各部へ図示しない電圧供給線を介して供給されることにより、記録再生装置１が動作することができる。なお、記録再生装置１を電源コンセントに接続できる構成としてもよく、電源コンセントから供給される電圧と電池２３から供給される電圧とを併用する構成とすることもできる。
【００４５】
上述した構成により、記録再生装置１は、チューナ１３による放送信号の受信機能、受信した放送信号を記録装置１６に記録する記録機能、受信した放送信号または記録装置１６に記録してある放送信号をディスプレイ装置２１で表示する表示機能、これらの放送信号を外部のモニタ装置１９ａへ出力する出力機能等を有する。また、記録再生装置１は、チューナ１３で受信した放送信号を一旦記録装置１６（磁気媒体１６ｂ又は光ディスク１６ｃ）に記録させた上でディスプレイ装置２１または外部のモニタ装置１９ａで表示させるタイムシフト機能（同時記録再生機能）も備えている。このタイムシフト機能を利用する場合、ユーザは、視聴したい放送番組を記録装置１６へ記録しつつ、記録装置１６から読み出した放送番組をディスプレイ装置２１又は外部のモニタ装置１９ａで視聴しているため放送番組の視聴を中断することができる。
【００４６】
ここで、本実施の形態１の記録再生装置１は、上述したタイムシフト機能の実行時において、ユーザが放送番組を外部のモニタ装置１９ａで視聴するか、またはディスプレイ装置２１で視聴するかに応じて記録信号処理部１５で実行する圧縮処理における圧縮率を変更するように構成してある。具体的には、外部のモニタ装置１９ａで視聴する場合には、制御部１０は、記録信号処理部（第１圧縮手段）１５、記録装置１６及び再生信号処理部（第１復号手段）１７の各動作を高画質モードに設定し、第２圧縮率よりも低い第１圧縮率での各処理を実行させる。また、ディスプレイ装置２１で視聴する場合には、制御部１０は、記録信号処理部（第２圧縮手段）１５、記録装置１６及び再生信号処理部（第２復号手段）１７の各動作を低画質モードに設定し、第１圧縮率よりも高い第２圧縮率での圧縮処理を実行させる。
【００４７】
より具体的には、制御部１０が、出力端子１９にモニタ装置１９ａが接続されているか否かを検知する検知手段として動作しており、制御部１０がモニタ装置１９ａの接続を検知した場合に、記録信号処理部１５が、チューナ１３で受信した放送信号を第１圧縮率で圧縮して記録装置１６に記録させつつ、記録装置１６から読み出した放送信号を再生信号処理部１７で復号し、出力処理部１８及び出力端子１９を介して外部のモニタ装置１９ａへ送出する。一方、制御部１０がモニタ装置１９ａの接続を検知しない場合には、記録信号処理部１５が、チューナ１３で受信した放送信号を第２圧縮率で圧縮して記録装置１６に記録させつつ、記録装置１６から読み出した放送信号を再生信号処理部１７で復号し、制御部（表示制御手段）１０からの制御に従ってスケーリング部２０を介してディスプレイ装置２１へ入力する。
【００４８】
これにより、タイムシフト機能の実行時において記録装置１６から読み出す放送信号を外部のモニタ装置１９ａで視聴する場合には、ディスプレイ装置２１で視聴する場合と比較して低圧縮率である第１圧縮率で圧縮して記録装置１６に記録させることにより、画質の劣化を防止した映像を外部のモニタ装置１９ａで表示することができる。また、ディスプレイ装置２１で視聴する場合には、外部のモニタ装置１９ａで視聴する場合と比較して高圧縮率である第２圧縮率で圧縮して記録装置１６に記録させることにより、記録装置１６への記録処理及びディスプレイ装置２１での再生処理に必要な消費電力を削減することができる。従って、画質の劣化の程度と、消費電力とのいずれかを重視した処理を行なうことができる。
【００４９】
以下に、上述した構成の記録再生装置１において、ユーザからの指示によりチューナ１３が受信した放送信号を記録装置１６に記録しつつ、記録装置１６に記録した放送信号を外部のモニタ装置１９ａまたは自身のディスプレイ装置２１で再生する同時記録再生処理について説明する。図２は実施の形態１に係る記録再生装置１による同時記録再生処理手順を示すフローチャートである。
【００５０】
記録再生装置１において、ユーザがリモコン装置の所定のキーまたは操作部の所定のキーを操作することにより、所望のチャンネルで放送される放送番組を一旦記録装置１６（磁気媒体１６ｂ又は光ディスク１６ｃ）に記録させた上でディスプレイ装置２１または外部のモニタ装置１９ａで表示させる同時記録再生処理（タイムシフト処理）の実行が指示された場合、制御部１０は、出力端子１９に外部のモニタ装置１９ａが接続されているか否かを判断する（Ｓ１）。
【００５１】
制御部１０は、出力端子１９にモニタ装置１９ａが接続されていると判断した場合（Ｓ１：ＹＥＳ）、記録信号処理部１５、記録装置１６及び再生信号処理部１７の各動作を高画質モードに設定し（Ｓ２）、ユーザにより選択されたチャンネルからの放送信号をチューナ１３で受信し（Ｓ３）、Ａ／Ｄ変換器１４によってデジタルの放送信号に変換する。次に制御部１０は、受信した放送信号を記録信号処理部１５によって高画質モードに対応する第１圧縮率で圧縮した上で記録装置１６の磁気媒体１６ｂ又は光ディスク１６ｃに記録させる（Ｓ４）。
【００５２】
制御部１０は、記録装置１６の磁気媒体１６ｂ又は光ディスク１６ｃに記録された放送信号を読み出し（Ｓ５）、読み出した放送信号を再生信号処理部１７によって伸張した後、出力処理部１８及び出力端子１９を介して外部のモニタ装置１９ａへ送出する（Ｓ６）。制御部１０は、ユーザからの指示によって同時記録再生処理の終了が指示されたか否かを判断しており（Ｓ７）、終了が指示されていないと判断した場合（Ｓ７：ＮＯ）、ステップＳ３の処理に戻り、同時記録再生処理の終了が指示されるまでステップＳ３からＳ６までの処理を繰り返す。また、制御部１０は、同時記録再生処理の終了が指示されたと判断した場合（Ｓ７：ＹＥＳ）、処理を終了する。
【００５３】
一方、ステップＳ１で、出力端子１９にモニタ装置１９ａが接続されていないと判断した場合（Ｓ１：ＮＯ）、制御部１０は、記録信号処理部１５、記録装置１６及び再生信号処理部１７の各動作を低画質モードに設定し（Ｓ８）、ユーザにより選択されたチャンネルからの放送信号をチューナ１３で受信し（Ｓ９）、Ａ／Ｄ変換器１４によってデジタルの放送信号に変換する。次に制御部１０は、受信した放送信号を記録信号処理部１５によって低画質モードに対応する第２圧縮率で圧縮した上で記録装置１６の磁気媒体１６ｂ又は光ディスク１６ｃに記録させる（Ｓ１０）。
【００５４】
制御部１０は、記録装置１６の磁気媒体１６ｂ又は光ディスク１６ｃに記録された放送信号を読み出し（Ｓ１１）、読み出した放送信号を再生信号処理部１７によって伸張した後にスケーリング部２０を介してディスプレイ装置２１へ入力する（Ｓ１２）。制御部１０は、ユーザからの指示によって同時記録再生処理の終了が指示されたか否かを判断しており（Ｓ１３）、終了が指示されていないと判断した場合（Ｓ１３：ＮＯ）、ステップＳ９の処理に戻り、同時記録再生処理の終了が指示されるまでステップＳ９からＳ１２までの処理を繰り返す。また、制御部１０は、同時記録再生処理の終了が指示されたと判断した場合（Ｓ１３：ＹＥＳ）、処理を終了する。
【００５５】
なお、上述した同時記録再生処理の実行中にユーザは、外部のモニタ装置１９ａまたは記録再生装置１のディスプレイ装置２１における放送番組の再生処理を中断することができる。この場合、制御部１０は、チューナ１３から受信する放送信号の記録装置１６への記録処理を続行したまま、記録装置１６に記録された放送番組の読み出しを停止する。また、ユーザにより中断していた放送番組の再生処理の再開が指示された場合には、制御部１０は、読み出しを停止した箇所から順次放送信号の再生処理を開始する。
【００５６】
上述したように、タイムシフト処理を実行する記録再生装置１において、自身が備えるディスプレイ装置２１で放送番組を再生する場合には、低画質モードを選択して高圧縮率での圧縮処理を行なった放送信号を記録装置１６に記録させることにより、多少の画質の劣化は生じるが、タイムシフト処理における消費電力を削減することができる。また、外部のモニタ装置１９ａで放送番組を再生する場合には、高画質モードを選択して低圧縮率での圧縮処理を行なった放送信号を記録装置１６に記録させることにより、画質の劣化を防止し、高画質の映像を外部のモニタ装置１９ａで表示させることができる。
【００５７】
（実施の形態２）
以下に、実施の形態２における記録再生装置１について詳述する。図３は実施の形態２に係る記録再生装置１の構成例を示すブロック図である。なお、上述した実施の形態１の記録再生装置１と同様の構成については同一の符号を付して説明を省略する。本実施の形態２の記録再生装置１は、図３に示すように、外部のモニタ装置１９ａ（図１参照）との接続はできない構成となっており、図１に示すような出力処理部１８及び出力端子１９を備えていない。なお、上述した実施の形態１の記録再生装置１と同様に外部のモニタ装置１９ａと接続できる構成であってもよいことは言うまでもない。
【００５８】
本実施の形態２の記録再生装置１は、制御部１０、ＲＯＭ１１、ＲＡＭ１２、チューナ１３、Ａ／Ｄ変換器１４、記録信号処理部１５、記録装置１６、再生信号処理部１７、スケーリング部２０、ディスプレイ装置２１、リモコン受信部２２のほかに、電池装着部２３に装着された電池２３ａの電力の残量（以下、残容量という）を検出する残量検出部（検出手段）２５を備えており、それぞれはバス１ａを介して相互に接続されている。
【００５９】
本実施の形態２の記録再生装置１では、電池装着部２３に装着された電池２３ａの両極間に、負荷抵抗Ｒ１及び電流検出用の抵抗Ｒ２（Ｒ２<<Ｒ１）が直列接続されており、抵抗Ｒ２には更に電圧測定部２４が並列接続されている。電圧測定部２４は電池２３ａにより負荷抵抗Ｒ１を流れる電流により抵抗Ｒ２にかかる電圧を測定し、測定した電圧値を残量検出部２５へ通知する。残量検出部２５は、電圧測定部２４から通知された電圧値を抵抗Ｒ２の抵抗値で除算することにより、負荷抵抗Ｒ１を流れる電流値を算出する。更に、残量検出部２５は、算出した電流値、電池２３ａの積算使用時間、及び電池２３ａのフル充電時の電力容量（Ａ・ｈ）に対して使用可能な時間に基づいて、電池２３ａの残容量（％）を算出する。
【００６０】
上述した構成の記録再生装置１においても、上述した実施の形態１における記録再生装置１と同様に、チューナ１３による放送信号の受信機能、受信した放送信号を記録装置１６に記録する記録機能、受信した放送信号または記録装置１６に記録してある放送信号をディスプレイ装置２１で表示する表示機能、チューナ１３で受信した放送信号を一旦記録装置１６に記録させた上でディスプレイ装置２１で表示させるタイムシフト機能（同時記録再生機能）等を有する。
【００６１】
本実施の形態２の記録再生装置１は電池装着部２３に装着された電池２３ａからの給電によって駆動しており、電池２３ａから供給される電力不足により実行中の各処理が中断されることを防止するために、ユーザは、チューナ１３が受信する放送信号または記録装置１６に記録してある放送信号をディスプレイ装置２１で再生させる場合に予め再生時間（視聴時間）を設定しておく。そして、制御部１０は、設定された再生時間分の電力量が電池２３ａに残存しているか否かを判断し、電力量が残存している場合にユーザにより要求された放送信号の再生処理を行なう。
【００６２】
ここで、記録再生装置１のＲＯＭ１１には、図４に示すような、記録再生装置１が行なう各処理、具体的には、チューナ１３が受信する放送信号のディスプレイ装置２１での再生処理（表示処理）、記録装置１６に記録してある放送信号のディスプレイ装置２１での再生処理、チューナ１３が受信する放送信号の記録装置１６への記録処理のそれぞれに対応する消費電力を規定した消費電力テーブルが予め記憶してある。この消費電力テーブルは、例えば電池２３ａのフル充電時の電力容量を１００とした場合に、それぞれの処理を１時間実行するために必要な消費電力を規定してある。具体的には、チューナ１３が受信する放送信号をディスプレイ装置２１で再生させる処理を１時間行なった場合には、「１０」の電力が消費されることを示している。
【００６３】
従って、制御部（受付手段）１０は、ユーザがリモコン装置の所定のキーまたは操作部の所定のキーを操作することによりチューナ１３が受信した放送信号又は記録装置１６に記録させた放送信号のディスプレイ装置２１での再生処理（表示処理）の実行指示（表示指示）及び表示時間を受け付けた場合、受け付けた実行指示に対応する再生処理に必要な消費電力を消費電力テーブルに基づいて算出（検出）する算出手段として動作すると共に、残量検出部２５により電池２３ａの残容量を検出する。ここで、残量検出部２５によって検出した電池２３ａの残容量が、消費電力テーブルから算出した再生処理に必要な消費電力よりも多く、実行指示された再生処理の実行に必要な電力が電池２３ａに残存している場合には、再生処理を実行し、対応する映像をディスプレイ装置２１で表示させる。
【００６４】
また、制御部１０は、残量検出部２５によって検出した電池２３ａの残容量から、消費電力テーブルから算出した再生処理に必要な消費電力を確保した上で、上述のように実行指示された再生処理以外の処理が可能であるか否かを判断する判断手段として動作する。具体的には、制御部１０は、上述したように実行指示された再生処理を実行した場合に、残量検出部２５によって検出した電池２３ａの残容量から、実行中の再生処理に必要な消費電力を減算する減算手段として動作し、算出した電池２３ａの残容量に基づいて、実行できる処理を判断する。
【００６５】
例えば、ユーザは、チューナ１３が受信する放送信号をディスプレイ装置２１で視聴している場合に、この放送信号を一旦記録装置１６に記録した上でディスプレイ装置２１で再生するタイムシフト機能の実行を指示することができる。この場合、制御部１０は、ユーザがリモコン装置の所定のキーまたは操作部の所定のキーを操作することによりチューナ１３が受信した放送信号の記録装置１６への記録処理の実行指示（記録指示）及び記録時間を受け付ける。
【００６６】
また、制御部１０は、受け付けた実行指示に対応する記録処理に必要な消費電力を消費電力テーブルに基づいて算出し、算出した消費電力が、上述したように減算して得られた電池２３ａの残容量よりも少ない場合に、実行指示を受け付けた記録処理の実行が可能であると判断し、記録処理を実行する。なお、ここで、電池２３ａの残容量が、受け付けた実行指示に対応する記録処理に必要な消費電力よりも少なく、記録処理の実行が可能でない場合、制御部（報知手段）１０は、電池２３ａの残容量の不足により記録処理を実行できない旨を示すメッセージをディスプレイ装置２１に表示させてユーザに通知する。
【００６７】
これにより、記録再生装置１は、ユーザによって実行指示された再生処理の実行中に、記録装置１６への記録処理も実行することによって電池２３ａの残容量が不足し、放送番組の再生処理と共に、記録処理も実行できないという事態を回避することができる。また、例えばタイムシフト機能による同時記録再生処理を実行している場合には、チューナ１３が受信する放送信号の記録装置１６への記録処理を中断し、チューナ１３が受信する放送信号を記録装置１６へ記録せずにディスプレイ装置２１に表示させることにより、同時に行なう記録処理及び再生処理の両方を中断する事態を回避することができる。
【００６８】
以下に、上述した構成の記録再生装置１において、ユーザからの指示によりチューナ１３が受信した放送信号または記録装置１６に記録してある放送信号をディスプレイ装置２１で出力する再生処理について説明する。図５は実施の形態２に係る記録再生装置１による再生処理手順を示すフローチャートである。
【００６９】
記録再生装置１において、ユーザがリモコン装置の所定のキーまたは操作部の所定のキーを操作することにより、所望のチャンネルで放送される放送番組のディスプレイ装置２１での再生処理、磁気媒体１６ｂ又は光ディスク１６ｃに記録してある放送番組のディスプレイ装置２１での再生処理の実行が指示された場合、制御部１０は、実行が指示された再生処理を実行する（Ｓ２１）。
【００７０】
次に、制御部１０は、ユーザがリモコン装置の所定のキーまたは操作部の所定のキーを操作することにより、所望のチャンネルで放送される放送番組の記録装置１６への記録処理の実行が指示されたか否かを判断しており（Ｓ２２）、記録処理の実行が指示されていないと判断した場合（Ｓ２２：ＮＯ）、再生処理を続行する（Ｓ２１）。制御部１０は、記録処理の実行が指示されたと判断した場合（Ｓ２２：ＹＥＳ）、ステップＳ２１で実行した再生処理に必要な消費電力を、図４に示す消費電力テーブルに基づいて検出し（Ｓ２３）、残量検出部２５によって電池２３ａの残容量を検出する（Ｓ２４）。
【００７１】
制御部１０は、ユーザによって実行が指示された記録処理に必要な消費電力を消費電力テーブルに基づいて検出し（Ｓ２５）、ステップＳ２４で検出した電池２３ａの残容量から、ステップＳ２３で検出した消費電力を減算した残容量が、ステップＳ２５で検出した記録処理に必要な消費電力よりも多いか否かに基づいて、実行指示された記録処理の実行が可能であるか否かを判断する（Ｓ２６）。
【００７２】
制御部１０は、記録処理の実行が可能であると判断した場合（Ｓ２６：ＹＥＳ）、記録処理を実行し（Ｓ２７）、記録処理の実行が可能でないと判断した場合（Ｓ２６：ＮＯ）、電池２３ａの残容量が不足していることによって記録処理の実行ができない旨を示すメッセージをディスプレイ装置２１に表示して通知し（Ｓ２８）、処理を終了する。なお、制御部１０は、電池２３ａの残容量が不足していることによって記録処理の実行ができないと判断した場合、それ以降において、ユーザからの記録処理の実行指示の受け付けを停止することにより、不要な電力消費を防止することができる。
【００７３】
上述した実施の形態２では、記録再生装置１が再生処理の実行中に記録処理の実行を要求され、電池２３ａの残容量の不足によって要求された記録処理の実行ができない場合に、その旨を示すメッセージをディスプレイ装置２１に表示させることにより、ディスプレイ装置２１を視聴しているユーザに通知する構成としてあるが、専用の通知ＬＥＤを設け、この通知ＬＥＤの点灯によってユーザに通知する構成とすることもでき、また、通知用の警告音を音声出力部（図示せず）から出力させる構成とすることもできる。
【００７４】
上述したように、記録再生装置１は、再生処理の実行が要求された場合、要求された再生処理に必要な電力を確実に確保することができ、実行中の再生処理に必要な電力を確保した上で、更に実行を要求された記録処理に必要な電力が電池２３ａに残っている場合には、要求された記録処理も実行させることにより、電池２３ａの残容量が不足することによって実行中の再生処理及び記録処理の両方が中断される事態を回避することができる。また、再生処理に必要な電力を記録処理に必要な電力よりも優先的に確保することにより、再生処理を優先して実行することができる。
【００７５】
（実施の形態３）
以下に、実施の形態３における記録再生装置１について詳述する。図６は実施の形態３に係る記録再生装置１の構成例を示すブロック図である。なお、上述した実施の形態２の記録再生装置１と同様の構成については同一の符号を付して説明を省略する。
【００７６】
本実施の形態３の記録再生装置１では、電池装着部２３に装着された電池２３ａの両極間に、負荷抵抗Ｒ１及び電圧検出用の抵抗Ｒ３（Ｒ１<<Ｒ３）が並列接続されており、更に抵抗Ｒ３に電圧測定部２４が並列接続されている。電圧測定部２４は電池２３ａにより負荷抵抗Ｒ１から分流して抵抗Ｒ３を流れる電流により抵抗Ｒ３にかかる電圧を測定し、測定した電圧値を残量検出部２５へ通知する。残量検出部２５は、電圧測定部２４から通知された電圧値により、電池２３ａの電圧値を直接的に検出することができる。残量検出部２５は、検出した電池２３ａの電圧値が電池２３ａの所定時間使用経過後から徐々に降下するのを監視することにより、電池２３ａの残容量（％）を算出する。
【００７７】
本実施の形態３の記録再生装置１は、チューナ１３が受信する放送信号の記録装置１６への予約記録処理の記録指示（予約）が可能に構成されており、ユーザにより予約された予約記録処理を示す予約情報をＲＡＭ１２に記憶しておく。予約情報は、記録先の記録媒体（磁気媒体１６ｂ又は光ディスク１６ｃ）、放送番組の放送チャンネル、記録開始時刻及び記録終了時刻等を含んでいる。これにより、制御部１０は、ＲＡＭ１２に記憶された予約情報が示す予約記録処理における記録開始時刻が経過した場合に、設定された放送チャンネルに応じた放送信号の記録処理を開始し、記録終了時刻が経過した場合に記録処理を終了する。
【００７８】
従って、制御部（受付手段）１０は、ユーザがリモコン装置の所定のキーまたは操作部の所定のキーを操作することによりチューナ１３が受信する所望の放送チャンネルに対応した放送信号の記録処理の予約指示（記録指示）及び記録時間を受け付けた場合、受け付けた予約指示に対応する予約記録処理に必要な消費電力を消費電力テーブルに基づいて算出する算出手段として動作すると共に、残量検出部２５により電池２３ａの残容量を検出する。ここで、残量検出部２５によって検出した電池２３ａの残容量が、消費電力テーブルから算出した予約記録処理に必要な消費電力よりも多く、予約指示された記録処理の実行に必要な電力が電池２３ａに残存している場合には、予約記録処理を示す予約情報をＲＡＭ１２に記憶させる。
【００７９】
また、制御部１０は、残量検出部２５によって検出した電池２３ａの残容量から、消費電力テーブルから算出した予約記録処理に必要な消費電力を確保した上で、例えば、ディスプレイ装置２１での放送番組の再生処理の実行が可能であるか否かを判断する判断手段として動作する。具体的には、制御部１０は、上述したように記録処理の予約を行なった場合に、残量検出部２５によって検出した電池２３ａの残容量が、予約した記録処理に必要な消費電力よりも多いか否かを判断しており、電池２３ａの残容量が予約した記録処理の消費電力よりも少なくなるまで、ディスプレイ装置２１での放送番組の再生処理が可能であると判断する。
【００８０】
例えば、ユーザは、上述したように記録処理の予約を行なった後に、チューナ１３が受信する放送信号のディスプレイ装置２１での視聴を指示することができる。この場合、制御部１０は、ユーザがリモコン装置の所定のキーまたは操作部の所定のキーを操作することによりチューナ１３が受信した放送信号をディスプレイ装置２１で表示させる表示指示を受け付ける。
【００８１】
制御部１０は、ディスプレイ装置２１での表示指示を受け付けた場合、要求された放送チャンネルに対応する放送番組のディスプレイ装置２１での表示を開始し、残量検出部２５に所定の時間間隔で電池２３ａの残容量を検出させる。また、制御部１０は、所定の時間間隔で検出される電池２３ａの残容量が、上述のように予約した記録処理に必要な消費電力よりも多いか否かに基づいて、ディスプレイ装置２１での表示処理の続行が可能であるか否かを判断する。ここで、電池２３ａの残容量が予約した記録処理に必要な消費電力よりも少なくなった時点で、制御部１０は、ディスプレイ装置２１での放送番組の再生処理を終了する表示制御手段として動作し、再生処理を終了し場合には、電池２３ａの残容量の不足によりディスプレイ装置２１での再生処理を終了した旨を示すメッセージをディスプレイ装置２１に表示させてユーザに通知する報知手段として動作する。
【００８２】
これにより、記録再生装置１は、ユーザによって予約された記録処理の実行待ち中に、ディスプレイ装置２１での放送番組の表示処理を更に実行することによって電池２３ａの残容量が不足し、放送番組の表示処理と共に、予約された記録処理も実行できないという事態を回避することができる。
【００８３】
以下に、上述した構成の記録再生装置１において、ユーザからの指示によりチューナ１３が受信した放送信号の記録装置１６への記録処理の予約処理（予約記録処理）について説明する。図７は実施の形態３に係る記録再生装置１による予約記録処理手順を示すフローチャートである。
【００８４】
記録再生装置１において、ユーザがリモコン装置の所定のキーまたは操作部の所定のキーを操作することにより、所望のチャンネルで放送される放送番組の記録装置１６への予約記録処理の実行が指示された場合、制御部１０は、実行が指示された予約記録処理を示す予約情報をＲＡＭ１２に記憶する（Ｓ３１）。
【００８５】
次に、制御部１０は、ユーザがリモコン装置の所定のキーまたは操作部の所定のキーを操作することにより、所望のチャンネルで放送される放送番組のディスプレイ装置２１での表示処理（再生処理）の実行が指示されたか否かを判断しており（Ｓ３２）、再生処理の実行が指示されていないと判断した場合（Ｓ３２：ＮＯ）、再生処理の実行が指示されるまで待機する。制御部１０は、再生処理の実行が指示されたと判断した場合（Ｓ３２：ＹＥＳ）、実行が指示された再生処理を実行し（Ｓ３３）、自身のタイマによる計時処理を開始する（Ｓ３４）。
【００８６】
制御部１０は、ステップＳ３１で予約した記録処理に必要な消費電力を、図４に示す消費電力テーブルに基づいて検出し（Ｓ３５）、残量検出部２５によって電池２３ａの残容量を検出する（Ｓ３６）。制御部１０は、ステップＳ３６で検出した電池２３ａの残容量が、ステップＳ３５で検出した予約記録処理に必要な消費電力よりも多いか否かに基づいて、実行が指示されたディスプレイ装置２１での再生処理の実行が可能であるか否かを判断する（Ｓ３７）。
【００８７】
制御部１０は、再生処理の実行が可能であると判断した場合（Ｓ３７：ＹＥＳ）、自身のタイマが計時する時間に基づいて所定時間が経過したか否かを判断しており（Ｓ３８）、所定時間が経過していないと判断した場合（Ｓ３８：ＮＯ）、所定時間が経過するまで待機し、所定時間が経過したと判断した場合（Ｓ３８：ＹＥＳ）、タイマによる計時処理を再度開始し（Ｓ３９）、ステップＳ３６の処理に戻る。
【００８８】
ステップＳ３７で、制御部１０は、再生処理の実行が可能でないと判断した場合（Ｓ３７：ＮＯ）、ディスプレイ装置２１での再生処理を終了し（Ｓ４０）、電池２３ａの残容量が不足していることによってディスプレイ装置２１での再生処理を終了した旨を示すメッセージをディスプレイ装置２１に表示して通知し（Ｓ４１）、処理を終了する。
【００８９】
上述したように、記録再生装置１は、ユーザによって予約記録処理の実行を要求された場合、要求された予約記録処理に必要な電力を確実に確保することができ、予約された記録処理に必要な電力を確保した上で、更に電池２３ａの残容量に残っている場合には、要求されたディスプレイ装置２１での再生処理も実行させることにより、電池２３ａの残容量が不足することによって予約待機の記録処理及びディスプレイ装置２１での再生処理の両方が中断される事態を回避することができる。また、予約記録処理に必要な電力を再生処理に必要な電力よりも優先的に確保することにより、予約された記録処理を優先して実行することができる。
【００９０】
なお、上述した実施の形態３における記録再生装置１においても、上述した実施の形態２で説明した変形例と同様の変形例の適用が可能である。
【００９１】
上述したように、実施の形態１における記録再生装置１は、外部のモニタ装置１９ａに接続されているか否かに応じて記録信号処理部１５及び再生信号処理部１７が行なう圧縮処理及び伸張処理における圧縮率を、画質を重視する場合と、消費電力量を重視する場合とにおいて変更するように構成してある。また、実施の形態２における記録再生装置１は、電池２３ａに十分な残容量がない場合に、チューナ１３が受信する放送信号または記録装置１６に記録してある放送信号の再生処理を、チューナ１３が受信する放送信号の記録装置１６への記録処理よりも優先的に行なうように構成してある。
【００９２】
更に、実施の形態３における記録再生装置１は、電池２３ａに十分な残容量がない場合に、チューナ１３が受信する放送信号の記録装置１６への記録処理を、チューナ１３が受信する放送信号または記録装置１６に記録してある放送信号の再生処理よりも優先的に行なうように構成してある。上述したような各記録再生装置１を一体的に構成し、ユーザによる設定条件に切り替えによって、電池２３ａに十分な残容量がない場合に、再生処理を優先的に行なうか、記録処理を優先的に行なうかの切り替えが可能に構成することもできる。
【図面の簡単な説明】
【００９３】
【図１】実施の形態１に係る記録再生装置の構成例を示すブロック図である。
【図２】実施の形態１に係る記録再生装置による同時記録再生処理手順を示すフローチャートである。
【図３】実施の形態２に係る記録再生装置の構成例を示すブロック図である。
【図４】消費電力テーブルの構成例を示す模式図である。
【図５】実施の形態２に係る記録再生装置による再生処理手順を示すフローチャートである。
【図６】実施の形態３に係る記録再生装置の構成例を示すブロック図である。
【図７】実施の形態３に係る記録再生装置による予約記録処理手順を示すフローチャートである。
【符号の説明】
【００９４】
１  記録再生装置（映像表示装置）
１０  制御部（検知手段、表示制御手段、受付手段、算出手段、判断手段、減算手段、報知手段）
１５  記録信号処理部（第１圧縮手段、第２圧縮手段）
１６  記録装置
１６ｂ  磁気媒体（記録部）
１６ｃ  光ディスク（記録部）
１７  再生信号処理部（第１復号手段、第２復号手段）
１８  出力処理部（送出手段）
１９  出力端子（接続部）
２１  ディスプレイ装置（表示部）
２３  電池装着部
２３ａ  電池
２５  残量検出部（検出手段）
【図１】
2005318321.tif 000003
【図２】
2005318321.tif 000004
【図３】
2005318321.tif 000005
【図４】
2005318321.tif 000006
【図５】
2005318321.tif 000007
【図６】
2005318321.tif 000008
【図７】
2005318321.tif 000009